(57)【要約】【課題】少量の炭酸ガスでも効率的に人体頭部の皮膚から吸収させる炭酸ガス圧浴装置を提供する。【解決手段】所定値以上の濃度の炭酸ガスを人体頭部の皮膚に接触させて血液循環を改善させる炭酸ガス圧浴装置１０であって、炭酸ガスを水蒸気に含ませた状態で供給する炭酸ガス供給手段１１と、圧縮空気を供給する圧縮空気供給手段１２と、人体頭部を覆う形状を有すると共に、炭酸ガス供給手段１１と圧縮空気供給手段１２とに接続器１６、１７を介して接続され、炭酸ガス供給手段１１から供給される炭酸ガスと水蒸気の混合ガスを封止して人体頭部の皮膚に直接接触させる第１の密閉層１４と、圧縮空気供給手段１２から供給される圧縮空気を封止する第２の密閉層１５と、を有する被覆マスク１３と、から構成され、第２の密閉層１５によって第１の密閉層１４内の炭酸ガスを所定の圧力値以上で人体頭部の皮膚に接触させる。【選択図】図１
2009254726.tif 000002
【特許請求の範囲】
【請求項１】
所定値以上の濃度の炭酸ガスを人体頭部の皮膚に接触させることにより、血管を拡張させ血液循環を改善させるための装置であって、
炭酸ガスを水蒸気に含ませた状態で供給する炭酸ガス供給手段と、
圧縮空気を供給する圧縮空気供給手段と、
人体頭部を覆う形状を有すると共に、前記炭酸ガス供給手段と前記圧縮空気供給手段とに接続器を介して接続され、前記炭酸ガス供給手段から供給される前記炭酸ガスと水蒸気の混合ガスを封止して人体頭部の皮膚に直接接触させる第１の密閉層と、前記圧縮空気供給手段から供給される圧縮空気を封止する第２の密閉層とを有する被覆マスクと、
から構成され、
前記第２の密閉層により、前記第１の密閉層内の炭酸ガスを所定の圧力値以上で人体頭部の皮膚に接触させることを特徴とする炭酸ガス圧浴装置。
【請求項２】
所定値以上の濃度の炭酸ガスを人体頭部の皮膚に接触させることにより血管を拡張させ血液循環を改善させるための装置であって、
炭酸ガスを水蒸気に含ませた状態で加圧供給する炭酸ガス供給手段と、
人体頭部を覆う形状を有すると共に、前記炭酸ガス供給手段に接続器を介して接続され、前記炭酸ガス供給手段から加圧供給される前記炭酸ガスと水蒸気の混合ガスを封止して人体頭部の皮膚に直接接触させる密閉層を形成する被覆マスクと、
から構成され、
前記密閉層内の炭酸ガスを所定の圧力値以上で人体頭部の皮膚に接触させることを特徴とする炭酸ガス圧浴装置。
【請求項３】
前記被覆マスクが、少なくとも人体の前頭部、頭頂部、後頭部、側頭部及び顔面を覆う頭巾形状であることを特徴とする請求項１または２に記載の炭酸ガス圧浴装置。
【請求項４】
前記被覆マスクが、少なくとも人体の顔面を覆うフェイスマスク形状であることを特徴とする請求項１または２に記載の炭酸ガス圧浴装置。
【請求項５】
前記被覆マスクに、使用者の呼吸を確保するための開口が設けられていることを特徴とする請求項３または４に記載の炭酸ガス圧浴装置。
【請求項６】
前記被覆マスクは、その着脱部にゴム、紐、または面ファスナーのうち何れか一つまたは複数の組み合わせにより形成される締め付け手段が設けられ、これにより前記炭酸ガス及び水蒸気の混合ガスの大気中への放散を防止することを特徴とする請求項３または４に記載の炭酸ガス圧浴装置。
【請求項７】
前記炭酸ガス供給手段は、前記水蒸気を一または複数の薬剤を含有させた水から生成し、前記炭酸ガスとの混合ガスとして供給することを特徴とする請求項１または２に記載の炭酸ガス圧浴装置。
【請求項８】
前記一または複数の薬剤が、メンソール、ビタミンＥ、ビタミンＣ、シクロデキストリン、光触媒とアパタイトの複合体のうちの何れか一つまたは複数であることを特徴とする請求項７に記載の炭酸ガス圧浴装置。
【請求項９】
前記圧縮空気供給手段が、前記圧縮空気により常時加圧を行うことを特徴とする請求項１に記載の炭酸ガス圧浴装置。
【請求項１０】
前記圧縮空気供給手段が、前記圧縮空気により所定時間間隔のインターバル加圧を行うことを特徴とする請求項１に記載の炭酸ガス圧浴装置。
【請求項１１】
前記炭酸ガス供給装置が、前記炭酸ガスと水蒸気の混合ガスを常時加圧して供給することを特徴とする請求項２に記載の炭酸ガス圧浴装置。
【請求項１２】
前記炭酸ガス供給装置が、前記炭酸ガスと水蒸気の混合ガスをパルス状に加圧して供給することを特徴とする請求項２に記載の炭酸ガス圧浴装置。
【請求項１３】
前記炭酸ガス供給装置は、炭酸ガスを封入した炭酸ガスボンベが挿入される炭酸ガス挿入部と、水を受け入れる貯水部と、を備え、前記炭酸ガスボンベ内の炭酸ガスを気泡状にして前記貯水部内に放出させることにより、前記炭酸ガスと水蒸気の混合ガスを得ることを特徴とする請求項１または２に記載の炭酸ガス圧浴装置。
【請求項１４】
前記炭酸ガス供給装置内における水の温度は、摂氏４０乃至７０度であることを特徴とする請求項１３に記載の炭酸ガス圧浴装置。
【請求項１５】
前記圧縮空気供給手段は、ヒータ手段を備え、ヒータ手段のオン／オフにより温風空気または冷風空気を供給することを特徴とする請求項１に記載の炭酸ガス圧浴装置。
【請求項１６】
前記圧縮空気供給手段から供給される空気圧は、１．２乃至２．５気圧であることを特徴とする請求項１または１５に記載の炭酸ガス圧浴装置。
【請求項１７】
前記圧縮空気供給手段は、圧縮空気ボンベを備えることを特徴とする請求項１６に記載の炭酸ガス圧浴装置。
【請求項１８】
前記圧縮空気供給手段は、電気駆動されるコンプレッサを備えることを特徴とする請求項１６に記載の炭酸ガス圧浴装置。
【請求項１９】
前記圧縮空気供給手段は、手動の袋状の空気圧器を備えることを特徴とする請求項１６に記載の炭酸ガス圧浴装置。
【請求項２０】
前記被覆マスクはポリエチレン、ポリプロピレン、ポリ塩化ビニリデン、ポリスチレン、ポリ酢酸ビニル、ポリ塩化ビニル、ナイロン、ポリテトラフルオロエチレン、織布または不織布のうちいずれか一つまたは複数の組み合わせにより形成されることを特徴とする請求項１または２に記載の炭酸ガス圧浴装置。
【発明の詳細な説明】
【技術分野】
【０００１】
本発明は、炭酸ガスを人体の皮膚に直接接触させて血液循環を改善させるための炭酸ガス圧浴装置に係り、特に、炭酸ガスを所定の圧力値以上で人体頭部の皮膚に接触させることにより皮膚からの炭酸ガスの吸収効率を向上させた炭酸ガス圧浴装置に関する。
【背景技術】
【０００２】
従来から、炭酸ガス（二酸化炭素：ＣＯ２）は生体の皮膚に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。このため、近年、炭酸ガスは医療目的のほか、健康増進、美容促進といった点からも広く注目を集めている。
【０００３】
炭酸ガスを人体の特定の部位、特に頭部（前頭部、頭頂部、後頭部、側頭部、顔面及び頚部）に吸収させるための技術としては、これまでに例えば、炭酸ガスを溶解させた温水を顔面に沿って流れ落とし、顔面皮膚から炭酸ガスを吸収させる美容機器（例えば、特許文献１）が開示されている。また、密閉可能な容器を人体の特定部位に装着し、その容器内に炭酸ガスを導入して炭酸ガス浴を行う装置（例えば、特許文献２乃至３）が開示されている。
【特許文献１】特開２００８−０１２２６８号公報
【特許文献２】特開平０７−１７１１８９号公報
【特許文献３】ＷＯ２００４／００２３９３号公報
【発明の開示】
【発明が解決しようとする課題】
【０００４】
しかしながら、上記特許文献１に記載された美容機器では、容器に溜まった炭酸温水を下から上へポンプで送って重力で流れ落とすのを繰り返すため、温水に含まれる炭酸ガスが短時間で大気中へ放散してしまい、実際に顔面から経皮吸収される炭酸ガス量は少ないという問題があった。
【０００５】
また、上記特許文献２乃至３に記載された炭酸ガス浴のための装置では、密閉された容器内で炭酸ガスを直接皮膚から効果的に吸収させることができるが、さらに高効率に炭酸ガスを経皮吸収できる装置が模索されてきた。
【０００６】
本発明は、上記従来の問題点に鑑みて、炭酸ガスを所定値以上の圧力で人体頭部の皮膚に接触させ、少量の炭酸ガスでも効率的に経皮吸収させることが可能な炭酸ガス圧浴装置を提供することを目的とする。
【課題を解決するための手段】
【０００７】
このため、本発明は、所定値以上の濃度の炭酸ガスを人体頭部の皮膚に接触させることにより、血管を拡張させ血液循環を改善させるための装置であって、炭酸ガスを水蒸気に含ませた状態で供給する炭酸ガス供給手段と、圧縮空気を供給する圧縮空気供給手段と、人体頭部を覆う形状を有すると共に、前記炭酸ガス供給手段と前記圧縮空気供給手段とに接続器を介して接続され、前記炭酸ガス供給手段から供給される前記炭酸ガスと水蒸気の混合ガスを封止して人体頭部の皮膚に直接接触させる第１の密閉層と、前記圧縮空気供給手段から供給される圧縮空気を封止する第２の密閉層とを有する被覆マスクと、から構成され、前記第２の密閉層により、前記第１の密閉層内の炭酸ガスを所定の圧力値以上で人体頭部の皮膚に接触させることを特徴とする炭酸ガス圧浴装置を提供する。
【０００８】
あるいは、本発明は、所定値以上の濃度の炭酸ガスを人体頭部の皮膚に接触させることにより血管を拡張させ血液循環を改善させるための装置であって、炭酸ガスを水蒸気に含ませた状態で加圧供給する炭酸ガス供給手段と、人体頭部を覆う形状を有すると共に、前記炭酸ガス供給手段に接続器を介して接続され、前記炭酸ガス供給手段から加圧供給される前記炭酸ガスと水蒸気の混合ガスを封止して人体頭部の皮膚に直接接触させる密閉層を形成する被覆マスクと、から構成され、前記密閉層内の炭酸ガスを所定の圧力値以上で人体頭部の皮膚に接触させることを特徴とする炭酸ガス圧浴装置を提供する。
【０００９】
なお、本発明で言う人体頭部とは、人体の前頭部、頭頂部、後頭部、側頭部及び顔面を包括的に含むものとする。
【００１０】
そこで、前記被覆マスクは、少なくとも人体の前頭部、頭頂部、後頭部、側頭部及び顔面を覆う頭巾形状とするのが良い。または、少なくとも人体の顔面を覆うフェイスマスク形状とするのが良い。そして、前記被覆マスクには、使用者の呼吸を確保するための開口を設ける。さらに、前記被覆マスクの着脱部には、ゴム、紐、または面ファスナーのうち何れか一つまたは複数の組み合わせにより形成される締め付け手段を設け、これにより前記炭酸ガス及び水蒸気の混合ガスが大気中へ放散することを防止する。
【００１１】
一方、前記炭酸ガス供給手段は、前記水蒸気を一または複数の薬剤を含有させた水から生成し、前記炭酸ガスの混合ガスとして供給する。この一または複数の薬剤とは、メンソール、ビタミンＥ、ビタミンＣ、シクロデキストリン、光触媒とアパタイトの複合体のうちの何れか一つまたは複数であるのが好適である。
【００１２】
次に、前記圧縮空気供給手段は、前記圧縮空気により常時加圧を行う。あるいは、前記圧縮空気供給手段は、前記圧縮空気により所定時間間隔のインターバル加圧を行う。同様に、前記炭酸ガスと水蒸気の混合ガスを加圧供給する前記炭酸ガス供給装置は、前記炭酸ガスと水蒸気の混合ガスを常時加圧して供給する。
【００１３】
また、前記炭酸ガス供給装置は、炭酸ガスを封入した炭酸ガスボンベが挿入される炭酸ガス挿入部と、水を受け入れる貯水部と、を備え、前記炭酸ガスボンベ内の炭酸ガスを微粒サイズの気泡状にして前記貯水部内に放出させることにより、前記炭酸ガスと水蒸気の混合ガスを得る装置とする。この炭酸ガス供給装置内における水の温度は、摂氏４０乃至７０度であるのが好適である。
【００１４】
そして、前記圧縮空気供給手段は、ヒータ手段を備え、ヒータ手段のオン／オフにより温風空気または冷風空気を供給するものとする。この圧縮空気供給手段から供給される空気圧は、１．２乃至２．５気圧とするのが好ましい。
【００１５】
ここで、前記圧縮空気供給手段は、（１）圧縮空気ボンベ、（２）電気駆動されるコンプレッサ、または（３）手動の袋状の空気圧器（例えば、血圧計に用いられる手動の空気袋、または浮き輪等の空気入れとして用いられる足踏みタイプの空気圧器）を用いるのが良い。
【００１６】
なお、前記被覆マスクはポリエチレン、ポリプロピレン、ポリ塩化ビニリデン、ポリスチレン、ポリ酢酸ビニル、ポリ塩化ビニル、ナイロン、ポリテトラフルオロエチレン、織布または不織布のうちいずれか一つまたは複数の組み合わせにより形成されるのが好ましい。
【発明の効果】
【００１７】
本発明の炭酸ガス圧浴装置によれば、単に炭酸ガスを人体頭部の皮膚に接触させるのではなく、所定の圧力値以上で接触させるため、皮膚からの炭酸ガスの吸収効率を従来と比較して著しく向上させることができる。特に、人体頭部を覆う被覆マスクを二層構造にすれば、加圧が容易になるだけではなく、炭酸ガスと水蒸気の混合ガスそのものの圧力を高める必要がないので大量の炭酸ガスを必要とせずに経皮吸収を促進することができる。
【発明を実施するための最良の形態】
【００１８】
以下、本発明の実施の形態について、図面を参照しながら詳細に説明する。
【００１９】
〔第１の実施形態〕
図１は、本発明の第１の実施形態に係る炭酸ガス圧浴装置の断面模式図、図２は、その炭酸ガス圧浴装置の被覆マスクの正面図である。また、図３は、その被覆マスクを実際に着用した状態を示す模式図、図４は、炭酸ガスと皮膚の接触関係を示す要部拡大図である。
【００２０】
本実施形態に係る炭酸ガス圧浴装置１０は、これらの図に示すように、炭酸ガスを水蒸気に含ませた状態で供給する炭酸ガス供給装置１１と、圧縮空気を供給するコンプレッサ１２と、使用者１の頭部（ここでは前頭部、頭頂部、後頭部、側頭部及び顔面）を覆って、その部位の皮膚（頭皮を含む）に炭酸ガスを接触、吸収させるための被覆マスク１３から構成される。
【００２１】
被覆マスク１３は、使用者１の皮膚との間に炭酸ガスと水蒸気の混合ガスを充満させる内側被覆マスク１３Ａと、その内側被覆マスク１３Ａとの間に圧縮空気を充満させることにより内側被覆マスク１３Ａ内の混合ガスを加圧する外側被覆マスク１３Ｂから構成される。この内側被覆マスク１３Ａと外側被覆マスク１３Ｂは、二層が一体に形成されている。
【００２２】
被覆マスク１３には、着脱のための開口部に、炭酸ガスと水蒸気の混合ガスの漏出を防ぎ、マスク内を密閉するための止着部１８が設けられている。そこで内側被覆マスク１３Ａ内には炭酸ガス供給装置１１からの炭酸ガスと水蒸気の混合ガスが、外側被覆マスク１３Ｂ内にはコンプレッサ１２からの圧縮空気が、それぞれ接続管１６、１７を介して供給される。これにより、図４に示すように、内側被覆マスク１３Ａと使用者１の皮膚２の間には炭酸ガスと水蒸気の混合ガス層１４が、また、内側被覆マスク１３Ａと外側被覆マスク１３Ｂの間には圧縮空気からなる加圧層１５が形成される。加圧層１５は、炭酸ガスと水蒸気の混合ガス層１４を外側から皮膚２に向かって加圧し、皮膚２からの炭酸ガスの吸収を促進させる。
【００２３】
内側被覆マスク１３Ａ及び外側被覆マスク１３Ｂは、非通気性素材の織布または不織布等からなる。例えば、ポリエチレン、ポリプロピレン、ポリ塩化ビニリデン、ポリスチレン、ポリ酢酸ビニル、ポリ塩化ビニル、ナイロン、ポリテトラフルオロエチレン等から構成される。
【００２４】
被覆マスク１３に設けられた止着部１８は、適度な伸縮性があり使用者１の首にフィットする素材から構成され、使用者１の首の位置で止着して、内側被覆マスク１３Ａ（炭酸ガスと水蒸気の混合ガス層１４）内を密閉する。加圧層１５は、内側被覆マスク１３Ａ及び外側被覆マスク１３Ｂが止着部１８に接合されているため予め密閉性を有する構造となっている。ここで、止着部１８は、例えば、伸縮性のある面ファスナーにより構成されるのが好適である。また、止着部１８の内側面には、例えば粘弾性ゲルのような、使用者１の皮膚２に粘着する素材を設けて密閉性を高めても良い。このほか、止着部１８には紐やゴム等を単独、あるいは組み合わせて用いても良い。また、空気圧による締め付けで止着できる構造としても良い。
【００２５】
被覆マスク１３には、装着している間にも使用者１が呼吸できるよう、使用者１の鼻に当たる位置に開口２０が設けられている。また、開口２０の周囲には、被覆マスク１３内の密閉性を保つために接着部１９が設けられている。接着部１９は、例えば粘弾性ゲルのような、使用者１の皮膚２に粘着する素材から構成される。あるいは両面テープ等を使用の都度用いるように構成しても良い。使用の際は、まず使用者１の鼻孔の位置に開口２０を配置し、接着部１９を使用者１の鼻孔の周囲に粘着させて固定する。これにより使用者１の呼吸を確保すると共に開口２０からの混合ガスの漏出を防ぐ。
【００２６】
被覆マスク１３にはさらに、使用者１の視界を確保するための窓２１が設けられている。窓２１は、透明または半透明の非通気性素材からなり、使用者１の目に当たる位置に設けられる。
【００２７】
なお、図１に示すように内側被覆マスク１３Ａには、一方端が炭酸ガス供給装置１１に接続された接続管１６の他端を接続するためのコネクタ１６Ａが設けられている。また、外側被覆マスク１３Ｂにも、一方端がコンプレッサ１２に接続された接続管１７の他端を接続するためのコネクタ１７Ａが設けられている。なお、接続管１６、１７の端部には図示しないがそれぞれタップが形成されており、捻じ込み式または嵌め込み式でコネクタ１６Ａ、１７Ａに接続することが可能である。また、接続管１６、１７の内部にはガスの逆流を防ぐための逆止弁が設けられている。
【００２８】
炭酸ガス供給装置１１は、図５に示すように、温水中に炭酸ガスを放出することにより炭酸ガスと水蒸気の混合ガスを得る装置である。この炭酸ガス供給装置１１は、温水１１９を注入する温水注入口１１２と、温水注入口１１２から注入された温水１１９を貯水する貯水タンク１１３と、炭酸ガスボンベ１１７を開栓するための針が内部に設けられ、貯水タンク１１３内の温水１１９中に炭酸ガス１１８を放出させる炭酸ガス挿入部１１４と、温水１１９に炭酸ガス１１８が放出されることで発生する炭酸ガスと水蒸気の混合ガス１２０を取り出すための混合ガス供給口１１５と、炭酸ガスボンベ１１７を固定すると共に炭酸ガスボンベ１１７を炭酸ガス挿入部１１４に押し当てるキャップ１１６と、から構成される。
【００２９】
炭酸ガスと水蒸気の混合ガス１２０を得るためにはまず、温水注入口１１２から貯水タンク１１３内に摂氏４０度から７０度程度の温水１１９を注入する。次いで、炭酸ガス挿入部１１４に炭酸ガスボンベ１１７を挿入する。キャップ１１６を締めることにより炭酸ガスボンベ１１７は押し下げられ、キャップ１１６を完全に締めると炭酸ガスボンベ１１７は炭酸ガス挿入部１１４内に設けられた針により開栓される。すると、炭酸ガス１１８が勢いよく温水１１９中に放出される。これにより炭酸ガスと水蒸気の混合ガス１２０が発生し、混合ガス供給口１１５から接続管１６を介して内側被覆マスク１３Ａ内に供給される。
【００３０】
ここで、上述のように炭酸ガスは皮膚から浸透して血管を拡張させる生理作用を有するが、本発明ではさらに、貯水タンク１１３内に注入する温水１１９中に、メンソール等の清涼作用を生じさせる薬剤や、血行をより促進させるビタミンＥ、美肌効果のあるビタミンＣ、皮膚表面に付着している細菌等を消毒するシクロデキストリンや薬剤（例えば光触媒とアパタイトの複合体）等を入れて、炭酸ガスによる生理作用との相乗的効果を生じさせることも可能である。
【００３１】
なお、炭酸ガス供給装置１１の構成は上記に限定せず、様々な態様のものを用いることができる。例えばここではカートリッジ式の小型の炭酸ガスボンベ１１７を例として用いたが、これに代えて業務用の大型ガスボンベ等にバルブを介して接続するようにしても良い。また、炭酸ガスと水蒸気を別々に供給するようにしても良い。
【００３２】
コンプレッサ１２は、被覆マスク１３の加圧層１５に圧縮空気を供給する。このとき供給される圧縮空気の空気圧は、１．２〜２．５気圧程度とする。なお、コンプレッサ１２からの圧縮空気による加圧は常時行われるようにしても良いが、所定時間（例えば、数秒乃至数十秒）間隔のインターバル加圧をすれば効果をさらに高めることができる。
【００３３】
コンプレッサ１２としては、圧縮空気ボンベを用いる。このほか家庭で簡便に用いるのであれば、例えば家庭用布団乾燥機や手動の袋状の空気圧器（例えば、血圧計に用いられる手動の空気袋、または浮き輪等の空気入れとして用いられる足踏みタイプの空気圧器）を用いても良い。また、コンプレッサ１２は、ヒータにより温風または冷風を供給できるものであるのが好ましい。
【００３４】
上記の実施形態によれば、被覆マスクを二層構造としたため、炭酸ガスと水蒸気の混合ガスそのものの圧力を高める必要がなく、少量の炭酸ガスで高効率に経皮吸収を促進することができる。さらに、被覆マスクを人体の頭部全体を覆う頭巾形状としたため、頭部の広い範囲で炭酸ガス圧浴を行うことができる。
【００３５】
〔第２の実施形態〕
図６は、本発明の第２の実施形態に係る炭酸ガス圧浴装置の断面模式図、図７は、その被覆マスクを実際に着用した状態を示す模式図である。なお、図６及び図７において、図１と同一の構成を有する部分には同じ符号を付して説明を省略する。
【００３６】
ここでは、主に顔面の炭酸ガス圧浴を目的とする炭酸ガス圧浴装置３０について説明する。図６及び図７に示すように、本実施形態に係る被覆マスク３３は、顔面全体を覆うフェイスマスクの形状を有している。この被覆マスク３３は、内側被覆マスク３３Ａと外側被覆マスク３３Ｂとから構成される。この内側被覆マスク３３Ａと外側被覆マスク３３Ｂは一体に形成されており、内側被覆マスク３３Ａ内には炭酸ガス供給装置１１から炭酸ガスと水蒸気の混合ガスが供給され、外側被覆マスク３３Ｂ内にはコンプレッサ１２から圧縮空気が供給される。これにより、内側被覆マスク３３Ａと皮膚の間には炭酸ガスと水蒸気の混合ガス層３４が、また内側被覆マスク３３Ａと外側被覆マスク３３Ｂとの間には圧縮空気からなる加圧層３５が形成される。加圧層３５は、炭酸ガスと水蒸気の混合ガス層３４を外側から皮膚に向かって加圧し、皮膚からの炭酸ガスの吸収を促進させる。
【００３７】
図７に示すように、本実施形態では被覆マスク３３が使用者１の顔面全体を覆い包む形状をしており、被覆マスク３３の縁部には炭酸ガスと水蒸気の混合ガスの漏出を防ぐ止着部３８が設けられている。止着部３８は、適度な伸縮性があり使用者１の顔の縁にフィットする非通気性素材から構成される。使用者１の顔面全体を被覆マスク３３が包む位置で止着部３８を止着して、内側被覆マスク３３Ａ（炭酸ガスと水蒸気の混合ガス層３４）内を密閉する。加圧層３５は、内側被覆マスク３３Ａ及び外側被覆マスク３３Ｂが止着部３８に接合されているため予め密閉性を有する構造となっている。ここで、止着部３８は、例えば、伸縮性のある面ファスナーにより構成されるのが好適である。このほか、止着部１８には紐やゴム等を単独、あるいは組み合わせて用いても良い。また、本実施形態では止着部３８の径が大きいため、止着部３８の内側面には、例えば粘弾性ゲルのような、使用者１の皮膚に粘着する素材を設けて特に密閉性を高める必要がある。また、空気圧による締め付けで止着できる構造としても良い。
【００３８】
本実施形態の被覆マスク３３は、上記のような止着部３８のみでは確実に被覆マスク３３を使用者１に固定することが難しいため、さらに止着ベルト４２が設けられている。止着ベルト４２は、例えばゴム等の伸縮性のある素材から構成される。止着ベルト４２の一端は被覆マスク３３に固定され、他端はベルト止め部４３（例えばワンタッチバックル）により使用者１の後頭部で各々連結され、被覆マスク３３の脱落を防止する。なお、上記のようなベルト止め部４３を有するゴムベルト以外にも、単に紐等を用いて適当な個所で結ぶ構成としても良い。また、被覆マスク３３の上から伸縮性を有する止着用マスク（例えば被覆マスク３３の開口４０、窓４１の位置に開口を有する、フルフェイスのマスク）を被ることにより被覆マスク３３を固定するようにしても良く、要は被覆マスク３３の脱落を防止できれば何を用いても良い。
【００３９】
被覆マスク３３には、装着している間にも使用者１が呼吸できるよう、使用者１の鼻に当たる位置に開口４０が設けられている。また、開口４０の周囲には、被覆マスク３３内の密閉性を保つために接着部３９が設けられている。接着部３９は、例えば粘弾性ゲルのような、使用者１の皮膚に粘着する素材から構成される。あるいは両面テープ等を使用の都度用いるように構成しても良い。使用の際は、まず使用者１の鼻孔の位置に開口４０を配置し、接着部３９を使用者１の鼻孔の周囲に粘着させて固定する。これにより使用者１の呼吸を確保すると共に開口４０からのガスの漏出を防ぐ。
【００４０】
被覆マスク３３にはさらに、使用者１の視界を確保するための窓４１を設ける。窓４１は、透明または半透明の非通気性素材からなり、使用者１の目に当たる位置に設けられる。
【００４１】
なお、図６に示すように内側被覆マスク３３Ａには、一方端が炭酸ガス供給装置１１に接続された接続管１６の他端を接続するためのコネクタ３６Ａが設けられている。また、外側被覆マスク３３Ｂにも、一方端がコンプレッサ１２に接続された接続管１７の他端を接続するためのコネクタ３７Ａが設けられている。なお、接続管１６、１７の端部には図示しないがそれぞれタップが形成されており、捻じ込み式または嵌め込み式でコネクタ３６Ａ、３７Ａに接続することが可能である。
【００４２】
上記の実施形態によれば、被覆マスクの形状を、特に顔面を覆うフェイスマスク状としたため、顔面に絞った炭酸ガス圧浴を効率的に行うことができる。
【００４３】
〔第３の実施形態〕
図８は、本発明の第３の実施形態に係る炭酸ガス圧浴装置の断面模式図である。なお、図８において、図１と同一の構成を有する部分には同じ符号を付して説明を省略する。
【００４４】
ここでは、炭酸ガスと水蒸気の混合層のみを形成する被覆マスクを有する炭酸ガス圧浴装置５０について説明する。図８に示すように、本実施形態に係る被覆マスク５３は、使用者１の頭部（ここでは前頭部、頭頂部、後頭部、側頭部及び顔面）を覆い包む形状を有している。この被覆マスク５３は、内部に炭酸ガス供給装置５１から炭酸ガスと水蒸気の混合ガスが供給される。これにより、被覆マスク５３と皮膚の間には炭酸ガスと水蒸気の混合ガス層５４が形成される。このとき、炭酸ガス供給装置５１からは炭酸ガスと水蒸気の混合ガスが加圧されて（常時加圧、またはパルス状に加圧）導入され、皮膚からの炭酸ガスの吸収を促進させる。
【００４５】
被覆マスク５３には、着脱のための開口部に、炭酸ガスと水蒸気の混合ガスの漏出を防ぐ止着部５８が設けられている。止着部５８は、適度な伸縮性があり使用者１の首にフィットする非通気性素材から構成され、使用者１の首の位置で止着して、被覆マスク５３（炭酸ガスと水蒸気の混合ガス層５４）内を密閉する。ここで止着部５８は、例えば伸縮性のある面ファスナーにより構成されるのが好適である。止着部５８の内側面には、例えば粘弾性ゲルのような使用者１の皮膚に粘着する素材を設けて密閉性を高めても良い。このほか、止着部５８には紐やゴム等を単独、あるいは組み合わせて用いても良い。また、空気圧による締め付けで止着できる構造としても良い。
【００４６】
被覆マスク５３には、装着している間にも使用者１が呼吸できるよう、使用者１の鼻に当たる位置に開口６０が設けられている。また、開口６０の周囲には、被覆マスク５３内の密閉性を保つために接着部５９が設けられている。接着部５９は例えば粘弾性ゲルのような、使用者１の皮膚に粘着する素材から構成される。あるいは両面テープ等を使用の都度用いるように構成しても良い。使用の際は、まず使用者１の鼻孔の位置に開口６０を配置し、接着部５９を使用者１の鼻孔の周囲に粘着させて固定する。これにより使用者１の呼吸を確保すると共に開口６０からのガスの漏出を防ぐ。
【００４７】
被覆マスク５３にはさらに、使用者１の視界を確保するための窓６１を設ける。窓６１は、透明または半透明の非通気性素材からなり、使用者１の目に当たる位置に設けられる。
【００４８】
なお、図８に示すように被覆マスク５３には、一方端が炭酸ガス供給装置５１に接続された接続管５６の他端を接続するためのコネクタ５６Ａが設けられている。接続管５６の端部には図示しないがタップが形成されており、捻じ込み式または嵌め込み式でコネクタ５６Ａに接続することが可能である。また、接続管５６の内部にはガスの逆流を防ぐための逆止弁が設けられている。
【００４９】
上記の実施形態によれば、被覆マスクを一層のみで形成したため、構造が単純化し、製造コストを抑制することができる。
【００５０】
以上、本発明について詳細に説明したが、上記の炭酸ガス圧浴装置によれば、単に炭酸ガスを人体頭部の皮膚に接触させるのではなく、所定の圧力値以上で接触させるため、皮膚からの炭酸ガスの吸収効率を従来と比較して著しく向上させることができる。特に、人体頭部を覆う被覆マスクを二層構造にすれば、加圧が容易になるだけではなく、炭酸ガスと水蒸気の混合ガスそのものの圧力を高める必要がないので大量の炭酸ガスを必要とせずに経皮吸収を促進することができる。
【００５１】
なお、上記実施形態では、頭巾のように前頭部、頭頂部、後頭部、側頭部及び顔面を覆う被覆マスク（第１、第３の実施形態）及び、顔面のみを覆う被覆マスク（第２の実施形態）について述べたが、本発明では上記の形状のほか、シャワーキャップのように頭髪を覆う形状の被覆マスク、あるいは頭部の一部のみ（例えば、後頭部のみ等）を覆う形状の被覆マスク等、様々な形状の被覆マスクが考えられる。そしてこれらは、第１の実施形態のように被覆マスクが二層構造であっても良いし、第３の実施形態のように一層構造であっても良い。
【００５２】
また上記実施形態では、使用者の呼吸を確保するために使用者の鼻の位置に開口を設けるものとしたが、このほかに例えば開口を使用者の口の位置（あるいは鼻と口双方）に設けても良いし、開口の代わりに鼻孔または口に挿入して呼吸を可能にするチューブを設ける等、様々な態様が適用できる。さらに、使用者の視界を確保するための窓は必ずしも設ける必要はないが、第１、第２の実施形態で示したように被覆マスクが二層構造の場合でも一枚の窓を設けるようにしても良いし、内側被覆マスク及び外側被覆マスクの双方に窓を設けて二層の窓となるようにしても良い。
【００５３】
このように、本発明は上記実施形態に限定されるものではなく、本発明の趣旨に基づき種々の変形が可能であり、これらを本発明の範囲から排除するものではない。
【産業上の利用可能性】
【００５４】
本発明は、炭酸ガスを人体の皮膚に直接接触させて血液循環を改善させるための炭酸ガス圧浴装置に係り、特に、炭酸ガスを所定の圧力値以上で人体頭部の皮膚に接触させることにより皮膚からの炭酸ガスの吸収効率を向上させた炭酸ガス圧浴装置に関し、産業上の利用可能性を有する。
【図面の簡単な説明】
【００５５】
【図１】本発明の第１の実施形態に係る炭酸ガス圧浴装置の断面模式図である。
【図２】本発明の第１の実施形態に係る炭酸ガス圧浴装置の炭酸ガス圧浴装置の被覆マスクの正面図である。
【図３】本発明の第１の実施形態に係る炭酸ガス圧浴装置の被覆マスクを実際に着用した状態を示す模式図である。
【図４】本発明の第１の実施形態に係る炭酸ガス圧浴装置の炭酸ガスと皮膚の接触関係を示す要部拡大図である。
【図５】本発明の第１の実施形態に係る炭酸ガス圧浴装置の炭酸ガス供給装置の模式図である。
【図６】本発明の第２の実施形態に係る炭酸ガス圧浴装置の断面模式図である。
【図７】本発明の第２の実施形態に係る炭酸ガス圧浴装置の被覆マスクを実際に着用した状態を示す模式図である。
【図８】本発明の第３の実施形態に係る炭酸ガス圧浴装置の断面模式図である。
【符号の説明】
【００５６】
１  使用者
２  皮膚
１０、３０、５０  炭酸ガス圧浴装置
１１、５１  炭酸ガス供給装置
１２  コンプレッサ
１３、３３、５３  被覆マスク
１３Ａ、３３Ａ  内側被覆マスク
１３Ｂ、３３Ｂ  外側被覆マスク
１４、３４、５４  炭酸ガスと水蒸気の混合ガス層
１５、３５  加圧層
１６、１７、５６  接続管
１６Ａ、１７Ａ、３６Ａ、３７Ａ、５６Ａ  コネクタ
１８、３８、５８  止着部
１９、３９、５９  接着部
２０、４０、６０  開口
２１、４１、６１  窓
４２  止着ベルト
４３  ベルト止め部
１１２  温水注入口
１１３  貯水タンク
１１４  炭酸ガス挿入部
１１５  混合ガス供給口
１１６  キャップ
１１７  炭酸ガスボンベ
１１８  炭酸ガス
１１９  温水
１２０  炭酸ガスと水蒸気の混合ガス
【図１】
2009254726.tif 000003
【図２】
2009254726.tif 000004
【図３】
2009254726.tif 000005
【図４】
2009254726.tif 000006
【図５】
2009254726.tif 000007
【図６】
2009254726.tif 000008
【図７】
2009254726.tif 000009
【図８】
2009254726.tif 000010